(57)【要約】【課題】本発明はサイフォン排水システムの横引き管材の２本配管用継手に係り、特に施工現場での配管作業性のよい２本配管用継手を提供するものである。【解決手段】太径管材が挿入される第１ソケットと、当該ソケット底部より伸びる２本の横引き管材に接続される短管と、この第１ソケット内に前記短管に連なる第２ソケットと、を備えたことを特徴とするサイフォン排水システムの２本配管用継手。４‥太径管材、１１‥第１ソケット、１２、１３‥短管、１４‥第２ソケット、１７‥パイプ。【選択図】図２
2006336323.tif 000002
【特許請求の範囲】
【請求項１】
太径管材が挿入される第１ソケットと、当該ソケット底部より伸びる２本の横引き管材に接続される短管と、この第１ソケット内に前記短管に連なる第２ソケットと、を備えたことを特徴とするサイフォン排水システムの２本配管用継手。
【請求項２】
短管の先端に、横引き管材を接続する継手を備えた請求項１記載のサイフォン排水システムの２本配管用継手。
【請求項３】
第２ソケットが短管の一方にのみ備えた請求項１又は２記載のサイフォン排水システムの２本配管用継手。
【請求項４】
第１ソケットに水回り器具からの太径のパイプが装着された請求項１乃至３いずれか１記載のサイフォン排水システムの２本配管用継手。
【請求項５】
第２ソケットにパイプが装着された請求項１乃至４いずれか１記載のサイフォン排水システムの２本配管用継手。
【請求項６】
２本の横引き管にあって、第２ソケット側の横引き管材が上側に配置された請求項１乃至５いずれか１記載のサイフォン排水システムの２本配管用継手。
【発明の詳細な説明】
【技術分野】
【０００１】
サイフォン排水システムに用いられる配管継手であって、排水流量の変化に対応できる２本配管用継手に関するものである。
【背景技術】
【０００２】
近年、排水システムとしてサイフォン力を利用するシステムが開発されている（特許文献１）が、一度に大量の排水が予想される例えば浴槽等にあっては、排水量に対してサイフォンの開始時間が遅れることがあった。
【０００３】
【特許文献１】特開２０００−２９７４４７号公報
【０００４】
これに対し、本出願人は一器具に対して太径の管材を用い、この管材に対して２０Ａ程度の排水管材を２本使用して排水し、太径の管材内の２本の長さを変えることにより排水をスム−ズに行うシステムを提案した。
【０００５】
図１はその既提案の排水システムの概念図である。１は大量の排水を行う浴槽、２は洗い場、３はトラップであり、浴槽１の排水口１ａ、洗い場２の排水口２ａをトラップ３に接続し、このトラップ３より径の太い管材（例えば５０Ａ）４が接続されている。かかる管材４に対し、横引き管材として２本の管材５、６が接続され、この管材５、６内に満たされた排水にサイフォン力がもたらされるものである。
【０００６】
しかるに、横引き管材５側を太管材４内で横引き管材６とその長さ（位置）を変えることにより管材５、６内の満水時間をずらし、逆に言えば、横引き管材６内の満水を早めることによってサイフォン開始時間をずらし、一時に多量の排水があった場合に対処するようにした排水システムである。具体的に言えば、この図例では管材６は太管材４内では下側に位置し、しかもその先端６ａは太管材４内でごく短いものとなっている。一方、管材５は太管材４内で管材６よりも上側に配置され、しかもその先端５ａは比較的長い構造をなしている。７は立て管、８は合流継手、９は床スラブである。
【０００７】
即ち、太い管材４に流れ込む排水は先ず管材６内を満水とし、次いで太管材４内に排水が満たされると管材５内が満水となる。このように管材５、６内が満水となりサイフォン力が発揮されるようになるもので、サイフォン開始時間をずらす（即ち、管材６側のサイフォン発生を早める）ことができるものである。
【発明の開示】
【発明が解決しようとする課題】
【０００８】
本発明はかかるサイフォン排水システムの横引き管材の２本配管用継手に係り、特に施工現場での配管作業性のよい２本配管用継手を提供するものである。
【課題を解決するための手段】
【０００９】
本発明の要旨は、太径管材が挿入される第１ソケットと、当該ソケット底部より伸びる２本の横引き管材に接続される短管と、この第１ソケット内に前記短管に連なる第２ソケットと、を備えたことを特徴とするサイフォン排水システムの２本配管用継手に係るものである。
【発明の効果】
【００１０】
本発明は以上の構成をもつ継手であり、水回り器具からの太径管材と、サイフォン機能がもたらされる２本の横引き管材とを簡単に接続でき設置現場での作業性が極めて簡単となったものである。しかも、横引き管材の長さを調節するために第２ソケットが備えられており、これにパイプを装着するだけで２本の横引き管材にもたらされるサイフォン開始時間を一方を早く一方を遅く起動することが可能となったものである。
【発明を実施するための最良の形態】
【００１１】
第１ソケットに水回り器具からの太径の管材が装着され、第２ソケットにはパイプが装着され、結果としてこの側の横引き管材のサイフォン開始時間を遅くし、他側の横引き管材のサイフォン開始時間を早くした継手となる。そして、水回り器具から予定される排水量や横引き管材の長さ等に従って、パイプの長さを任意に選択することによってサイフォン開始時間を夫々ずらすことが可能となったものである。勿論、パイプを装着した側を上側に配置することが必要となることは言うまでもない。
【００１２】
太径の管材は、例えばユニットバスであれば通常は５０Ａであり、横引き管材更にはパイプにあっては２０Ａであり、その材質は問わないが、太管材は通常は塩ビ管であり、その他の管材は架橋ポリエチレンやポリブテン等の可撓性の樹脂管が好ましい。又、太管材とパイプとは夫々のソケットに対して任意の手段が取られ得る。
【００１３】
本発明の２本配管用継手の短管にあっては、その先端に横引き管材を接続する継手を備えておくのがよく、これによって現場での作業性が極めて向上することとなる。
【実施例】
【００１４】
以下、本発明の継手を実施例をもって更に詳細に説明する。図２は本発明の継手の第１例を示すものであり、太径管材（塩ビ管）４が挿入される第１ソケット１１と、当該ソケット１１の底部１１ａより伸びる２本の横引き管材（ポリブテン管）５、６に接続される短管１２、１３と、この第１ソケット１１内に前記短管１２に連なる突出した第２ソケット１４と、を備えた継手である。係る継手は塩ビによって形成されている。
【００１５】
そして、第２ソケット１４にはポリブテンよりなるパイプ１７が装着されたものであり、太径管材４とパイプ１７は夫々のソケット１１、１４に対して接着剤をもって固着されたものであり、パイプ１７側が上側になるように継手を配置するものである。一方、横引き管材５、６と短管１２、１３はいわゆるワンタッチ型継手１８、１８が備えられており、この継手１８内に横引き管材５、６を差し込むことによって簡単に接続できることとしたものである。
【００１６】
図３は本発明の継手の第２例を示すものであり、この例では、第２ソケット１４は短管１２の基部に形成した窪み１４ａをもってソケット１４としたもので、パイプ１７をこの窪みに差し込んで固着するものである。
【産業上の利用可能性】
【００１７】
本発明の２本配管用継手は一気に大量に排水される水回り器具の横引き管材の継手に適用されるものであり、浴槽のみならず洗濯機等の排水にも適用可能であり、その利用分野は広い。
【図面の簡単な説明】
【００１８】
【図１】図１はその既提案の排水システムの概念図である。
【図２】図２は本発明の２本配管用継手の全体図である。
【図３】図３は本発明の２本配管用継手の他の例を示す全体図である。
【符号の説明】
【００１９】
１‥浴槽、
２‥洗い場、
３‥トラップ、
４‥太径管材、
５、６‥横引き管材、
１１‥第１ソケット、
１２、１３‥短管、
１４‥第２ソケット、
１７‥パイプ、
１８‥継手。
【図１】
2006336323.tif 000003
【図２】
2006336323.tif 000004
【図３】
2006336323.tif 000005